(57)【要約】【課題】  雨樋へのごみの侵入を抑制するごみ受け具を金属製折板屋根に簡単に固定できるようにする。【解決手段】  雨樋２を覆う金属製折板屋根１に開口部５を形成し、この開口部５から雨樋２に雨水を排水する。開口部５は金属製折板屋根１に形成する切欠溝６から左右一対の折曲板７を下方に向けて折り曲げることによって形成する。開口部５からごみ受け具10を挿入し、折曲板７の下端部にごみ受け部12に当接させ、吊金具20のフック部21をごみ受け部12に引っ掛け、取付金具24の挿通孔26に吊金具20を通してビス25によって取付金具24を屋根面１Ａに固定する。この後、取付金具24から突出したねじ部22にナット部材31を螺着することによって、ごみ受け部12を固定し、開口部５から雨樋２内に流れ込むごみをごみ受け具10で受け、雨樋２のへのごみの侵入を抑制する。【選択図】        図２
2005048452.tif 000002
【特許請求の範囲】
【請求項１】
金属製折板屋根の軒先側に位置して屋根で覆われる位置に雨樋を設け、この雨樋へのごみの通過を阻止する雨樋のごみ受け具であって、前記金属製折板屋根に切欠溝を形成し、この切欠溝から少なくとも対向する一対の折曲板を下方に向かって折曲形成して排水用の開口部を形成し、前記折曲板の下面にごみ受け具を掛け渡すとともに、前記折板屋根の表面に固定される取付金具を設け、この取付金具と前記ごみ受け具とを吊金具で連結してなることを特徴とする雨樋のごみ受け具。
【請求項２】
前記ごみ受け具を複数のごみ受け部を備えた目皿によって構成し、前記吊金具は前記ごみ受け部に引っ掛けるフック部と、ねじ部とを備え、前記取付金具に前記ねじ部の挿通孔を形成し、この挿通孔から突出したねじ部にナット部材を螺着して前記ごみ受け具を固定するように構成したことを特徴とする請求項１記載の雨樋のごみ受け具。
【請求項３】
前記ごみ受け部に前記フック部の位置決め部を形成したことを特徴とする請求項２記載の雨樋のごみ受け具。
【発明の詳細な説明】
【技術分野】
【０００１】
本発明は、雨樋に入り込むごみの通過を阻止する雨樋のごみ受け具に関する。
【背景技術】
【０００２】
従来、一般家屋では屋根 の軒先側に雨樋が取り付けられているが、一般家屋では屋根の軒先側に雨樋が露出して設けられている。したがって、雨とともに雨樋にごみが入り込み雨樋に集積したごみによって、排水性が悪化し、やがては排水口で詰まって雨水が流れなくなってしまう。こうした問題を解決するために、金属製折板屋根の裏側に雨樋を取り付け、屋根裏側に取り付けた雨樋と対応するように、屋根面に開口部を設けるとともに、ごみ受け部の両側に着脱可能なクリップを取り付け、このクリップ雨樋の内側に一体形成するフランジに係合させ固定するように構成した雨樋のごみ受け具が提案されている（例えば、特許文献１参照）。
【特許文献１】登録実用新案第３０５２８７７号公報
【発明の開示】
【発明が解決しようとする課題】
【０００３】
しかしながら、特許文献１で示すごみ受け具は、予め雨樋の内側にごみ受け具を装着した後、雨樋を覆うように折板屋根が設けられているから、屋根面に排水口を形成する際、直接的に目視できないごみ受け具の位置に合わせて排水口を形成する必要があるから、作業が煩雑で施工性に難がある。特に、こうした、排水口は間隔を置いて複数形成する必要があるため、排水口を形成する毎にごみ受け具の位置に合わせて排水口を形成する作業は極めて面倒で手間がかかる作業である。
【０００４】
そこで、本発明は上記のような従来技術の問題点に鑑みて排水口にごみ受け具を簡単かつ用容易に固定することができる雨樋のごみ受け具を提供することを目的とする。
【課題を解決するための手段】
【０００５】
上記目的を達成するために、本発明の雨樋のごみ受け具は、金属製折板屋根の軒先側に位置して屋根で覆われる位置に雨樋を設け、この雨樋へのごみの通過を阻止する雨樋のごみ受け具であって、前記金属製折板屋根に切欠溝を形成し、この切欠溝から少なくとも対向する一対の折曲板を下方に向かって折曲形成して排水用の開口部を形成し、前記折曲板の下面にごみ受け具を掛け渡すとともに、前記折板屋根の表面に固定される取付金具を設け、この取付金具と前記ごみ受け具とを吊金具で連結してなることを特徴とする。
【０００６】
このように構成した本発明に係る雨樋のごみ受け具によれば、雨樋内に入り込むごみがごみ受け具に引っ掛かり、雨樋内でのごみの集積が抑制される。
【０００７】
ここで前記ごみ受け具を複数のごみ受け部を備えた目皿によって構成し、前記吊金具は前記ごみ受け部に引っ掛けるフック部と、ねじ部とを備え、前記取付金具に前記ねじ部の挿通孔を形成し、この挿通孔から突出したねじ部にナット部材を螺着して前記ごみ受け具を固定するように構成してもよい。
【０００８】
このように構成した場合は、吊金具のフック部をごみ受け部に引っ掛け、その吊金具を取付金具の挿通孔を通した後、ねじ部にナット部材を螺着するだけで、ごみ受け具を簡単に固定することができる。
【０００９】
また、前記ごみ受け部に前記フック部の位置決め部を形成してもよい。
【００１０】
このように構成した場合は、み受け具を固定する際、ごみ受け具に対する吊金具の位置を正確に合わせることが可能となる。
【発明の効果】
【００１１】
本発明の請求項１に記載の雨樋のごみ受け具によれば、金属製折板屋根の軒先側に位置して屋根で覆われる位置に雨樋を設け、この雨樋へのごみの通過を阻止する雨樋のごみ受け具であって、前記金属製折板屋根に切欠溝を形成し、この切欠溝から少なくとも対向する一対の折曲板を下方に向かって折曲形成して排水用の開口部を形成し、前記折曲板の下面にごみ受け具を掛け渡すとともに、前記折板屋根の表面に固定される取付金具を設け、この取付金具と前記ごみ受け具とを吊金具で連結してなるものであるから、ごみ受け具を雨樋を覆う折板屋根の開口部に簡単かつ容易に取り付けることができるとともに、開口部から雨樋へと進入するごみがごみ受け具に引っ掛かり、これにより、雨樋２内でごみが集積せず、雨樋に形成する排水口がごみによって詰まることもない。
【００１２】
また、請求項２に記載の雨樋のごみ受け具によれば、前記請求項１において、前記ごみ受け具を複数のごみ受け部を備えた目皿によって構成し、前記吊金具は前記ごみ受け部に引っ掛けるフック部と、ねじ部とを備え、前記取付金具に前記ねじ部の挿通孔を形成し、この挿通孔から突出したねじ部にナット部材を螺着して前記ごみ受け具を固定するように構成したものであるので、吊金具のフック部をごみ受け部に引っ掛け、その吊金具を取付金具の挿通孔を通した後、ねじ部にナット部材を螺着するだけで、ごみ受け具を簡単に固定することができる。
【００１３】
また、請求項３に記載の雨樋のごみ受け具によれば、前記請求項２において、前記ごみ受け部に前記フック部の位置決め部を形成したものであるので、ごみ受け具を固定する際、ごみ受け具に対する吊金具の位置を正確に合わせることができ、ごみ受け具がずれることなく、正しい位置に簡単に固定することができる。
【発明を実施するための最良の形態】
【００１４】
以下図面を参照して、本発明の好適な実施形態について説明する。
【００１５】
まず、本発明に係る食器収納ラックの一実施形態の構成について、図１〜図４を参照して説明する。１は金属製折板屋根、２は折板屋根の屋根面１Ａに取り付けられる雨樋である。雨樋２は底部２Ａと、この底部２Ａの両側縁から立設する一対の側壁２Ｂとを有する断面コ字型に形成されている。前記屋根面１Ａには、屋根面１Ａの谷部１Ｂに位置して屋根裏側に取り付けた雨樋２と対応するように排水用の開口部５が前記雨樋２に沿うようにして適宜間隔をおいて複数形成されている。この開口部５の開口幅は５０ｍｍ〜１５０ｍｍに設定されている。すなわち、開口部５は、前記谷部１Ｂの全幅に渡って形成され、この種の金属製折板屋根１における谷部の幅は５０ｍｍ〜１５０ｍｍである。また、開口部５は、まず、屋根面１Ａの谷部１ＢにＨ状の切欠溝６を形成し、この切欠溝６の中央部分から左右一対の折曲板７を下方に向けて折り曲げることによって形成している。
【００１６】
10は前記開口部５に装着されるごみ受け具であり、枠体11に複数のごみ受け部12を並行に掛け渡した目皿13から成る。このごみ受け具10は前記開口部５の最大開口幅より大きく形成されている。また、ごみ受け部12は図２に示すように、断面が逆Ｖ字状を成すとともに、その中央両側縁に吊金具20の位置め部として半円状の凹部15が形成されている。また、吊金具20は、フック部21とねじ部22とを備え、この吊金具20を屋根面１Ａに固定する取付金具24に固定している。取付金具24は、前記谷部１Ｂの長さ方向に沿わせるようようにして開口部５を縦断させ、ビス25によって屋根面１Ａに固定されている。この取付金具24には前記ねじ部22の挿通孔26を形成している。
【００１７】
以上のように構成される本発明の取付手順について説明する。まず、雨樋２に合わせて屋根面１Ａの谷部１Ｂにレーザーなどによって切欠溝６に形成し、その切欠溝６から左右一対の折曲板７を下方に向けて折り曲げて排水用の開口部５を形成する。そして、この開口部５からごみ受け具10を挿入し、折曲板７の下端部にごみ受け部12に当接させるとともに、吊金具20のフック部21をごみ受け部12に形成する凹部15に引っ掛ける。この後、ねじ部22に蝶ナット30をねじ込んでから取付金具24の挿通孔26を通してビス25によって取付金具24を屋根面１Ａの谷部１Ｂに固定する。そして、ねじ部22にねじ込んだ蝶ナット30を取付金具24の裏面に突き当てるようにして蝶ナット30の位置を調整し、取付金具24から突出したねじ部22にナット部材31を螺着することによって、ごみ受け具10を吊り上げ、ごみ受け具10を折曲板７の下端に当接させる。このようにして、ごみ受け具10を固定したのち、ナット部材31から上方に突出するねじ部22は溶接などによって切断する。こうして、排水用の開口部５をごみ受け具10で覆うことで、開口部５から雨樋２内に流れ込むごみがごみ受け具10のごみ受け部12に引っ掛かる。これにより、雨樋２内でごみが集積せず、雨樋２に形成する排水口（図示せず）がごみによって詰まることもない。特に本実施例のように屋根面１Ａの裏側に雨樋２を取り付け、開口部５を除いて雨樋２が屋根面１Ａによって覆われる場合、開口部５からのごみの侵入を抑制することによって、確実に雨水を排水させることができる。また、本実施例においては、ごみ受け具10に吊金具20を引っ掛ける際、吊金具20のフック部21をごみ受け部12に形成する凹部15に係止することで、ごみ受け具10に対する吊金具20の位置を正確に合わせすることができ、ごみ受け具10がずれることなく簡単かつ容易に固定することができる。また、雨樋２の位置に合わせて屋根面１Ａに開口部５を形成し、屋根面１Ａの上方側から開口部５にごみ受け具10を装着することから、極めて簡単にごみ受け具10を固定でき、特に、この種の金属製折板屋根１は、雨樋２へと雨水などを排水する開口部５を間隔をおいて複数設けることから、その開口部５にそれぞれ装着するごみ受け具10の取付作業を効率化することは、施工作業の効率化を図る面で極めて有効である。
【００１８】
以上、本発明に係るごみ受け具について添付図面を参照して説明してきたが、本発明は上記実施形態に限定されるものではなく、本発明の思想の範囲内で種々の変形実施が可能である。例えば、ごみ受け具10の形状などはごみの通過を阻止する構造であればよく、必ずしも目皿状に形成する必要はない。また、吊金具20として下端にフック部21を有する構造を示したが、取付金具24の上側からボルトを通し、これをごみ受け具10に溶接などによって一体化したナット部材にねじ込んでごみ受け具10を固定するようにしてもよい。
【図面の簡単な説明】
【００１９】
【図１】本発明に係るごみ受け具の構成を示す斜視図である。
【図２】本発明に係るごみ受け具の構成を示す断面図である。
【図３】本発明に係るごみ受け具の取り付け状態を示す斜視図である。
【図４】本発明に係るごみ受け具の取り付け状態を示す断面図である。
【符号の説明】
【００２０】
１      金属製折板屋根
２      雨樋
５      開口部
６      折曲板
10      ごみ受け具
12      ごみ受け部
13      目皿
15      凹部（位置き部）
20      吊金具
21      フック部
22      ねじ部
24      取付
26      挿入孔
31      ナット部材
【図１】
2005048452.tif 000003
【図２】
2005048452.tif 000004
【図３】
2005048452.tif 000005
【図４】
2005048452.tif 000006